(57)【要約】【課題】  利用者の個人情報を通信ネットワークを介して登録させるための誘導を容易に行うこと。【解決手段】  携帯電話１６により、システムサーバ１０のレース参加誘導画像がアクセスされたときに、レース参加操作に応答してレース選択画像を表示し、レース選択画像の中のいずれかのレースが選択されたときには、利用者がレースへの参加資格を得るための空メール送信用画像を表示し、この画像に応答した利用者からの空メールを受信したときに、選択されたレースを提供したクライアントのクライアント用端末に受信した空メールを送信し、その後、クライアント用端末から利用者のメールアドレスを受信し、この数がレースを開催する条件を満たしたときに、全ての利用者にレース開催の案内を返信し、レースの開催時間帯内にメールが送信されてくる毎に当落を判定し、この判定結果をレースへの参加資格を得た全ての利用者の携帯電話１６に送信する。【選択図】        図１
2005063327.tif 000002
【特許請求の範囲】
【請求項１】
通信ネットワークを情報伝送媒体とするシステムであって、利用者の通信ネットワーク対応型個人端末により、アフィリエイトサイトを介しまたは直接、レース参加誘導画像がアクセスされたときに、レース参加操作に応答して前記レース参加誘導画像をレース選択画像に切り替え、前記レース選択画像の中のいずれかのレースが前記利用者により選択されたときには、前記レース選択画像を前記レースへの参加資格を得るための空メール送信用画像に切り替え、前記空メール送信用画像に応答した利用者からの空メールを受信したときには、受信した空メールの情報を蓄積するとともに、前記選択されたレースを提供したクライアントのクライアント用端末に前記受信した空メールを送信し、その後、前記クライアント用端末からの情報として前記レースへの参加資格を得た利用者に関する利用者情報を受信し、この受信した利用者情報の数が前記レースを開催する条件を満たしたときに、前記レースへの参加資格を得た全ての利用者の個人端末に前記レースを開催する旨の案内情報を送信し、前記レースが開催されている時間内に前記レースへの参加資格を得た利用者の個人端末から送信されたメールを受信する毎に前記レースに関する当落を判定し、この判定結果を前記レースへの参加資格を得た全ての利用者の個人端末に送信してなることを特徴とする個人情報登録誘導サービスシステム。
【請求項２】
請求項１に記載の個人情報登録誘導サービスシステムにおいて、前記空メールの情報は、前記空メールを送信した利用者がアクセスしたアフィリエイトサイトの番号または直接アクセスしたという番号と、前記利用者が選択したレースを提供したクライアントのクライアントサイトの番号と、前記空メールを送信した利用者のメールアドレスとを含むことを特徴とする個人情報登録誘導サービスシステム。
【請求項３】
請求項１または２に記載の個人情報登録誘導サービスシステムにおいて、前記レースに関する当落を前記メールの受信順位で決定してなることを特徴とする個人情報登録誘導サービスシステム。
【請求項４】
請求項１、２または３のうちいずれか1項に記載の個人情報登録誘導サービスシステムにおいて、前記通信ネットワーク対応型個人端末は、通信ネットワーク対応型携帯電話または通信ネットワーク対応型パーソナルコンピュータであることを特徴とする個人情報登録誘導サービスシステム。
【発明の詳細な説明】
【技術分野】
【０００１】
本発明は、個人情報登録誘導サービスシステムに係り、特に、一般消費者である利用者(ユーザ)の個人情報を通信ネットワークを介して登録するための誘導を行うに好適な個人情報登録サービスシステムに関する。
【背景技術】
【０００２】
従来、一般消費者である利用者の個人情報をインターネットを介して収集するに際しては、インターネット上に広告などの各種のサイトを設け、これらのサイトにアクセスした利用者に対して、個人情報の登録を条件に各種のサービスを提供することが行われていた。
【発明の開示】
【発明が解決しようとする課題】
【０００３】
従来技術においては、インターネットなどの情報伝送媒体を介して個人情報を収集するに際しては、インターネット上に広告宣伝のためのサイトを設けなければならず、しかも、このサイトを維持するにはコストがかかる一方で、多くの利用者から個人情報を得ることが困難であった。
【０００４】
本発明は、従来技術の課題に鑑みて為されたものであり、その目的は、利用者の個人情報を通信ネットワークを介して登録させるための誘導を容易に行うことができる個人情報登録誘導サービスシステムを提供することにある。
【課題を解決するための手段】
【０００５】
前記目的を達成するために、請求項１に係る個人情報登録誘導サービスシステムにおいては、通信ネットワークを情報伝送媒体とするシステムであって、利用者の通信ネットワーク対応型個人端末により、アフィリエイトサイトを介しまたは直接、レース参加誘導画像(画面)がアクセスされたときに、レース参加操作に応答して前記レース参加誘導画像(画面)をレース選択画像(画面)に切り替え、前記レース選択画像(画面)の中のいずれかのレースが前記利用者により選択されたときには、前記レース選択画像(画面)を前記レースへの参加資格を得るための空メール送信用画像(画面)に切り替え、前記空メール送信用画像(画面)に応答した利用者からの空メールを受信したときには、受信した空メールの情報を蓄積するとともに、前記選択されたレースを提供したクライアントのクライアント用端末に前記受信した空メールを送信し、その後、前記クライアント用端末からの情報として前記レースへの参加資格を得た利用者に関する利用者情報を受信し、この受信した利用者情報の数が前記レースを開催する条件を満たしたときに、前記レースへの参加資格を得た全ての利用者の個人端末に前記レースを開催する旨の案内情報を送信し、前記レースが開催されている時間内に前記レースへの参加資格を得た利用者の個人端末から送信されたメールを受信する毎に前記レースに関する当落を判定し、この判定結果を前記レースへの参加資格を得た全ての利用者の個人端末に送信するように構成した。
【０００６】
(作用)利用者の個人端末により、アフィリエイトサイトを介してまたは直接、レース参加誘導画像がアクセスされたときには、レース参加誘導画像をレース選択画像に切り替え、レース選択画像の中のいずれかのレースが利用者によって選択されたときには、レース選択画像をレースへの参加資格を得るための空メール送信用画像に切り替え、この空メール送信用画像に利用者が応答して空メールが送信されると、この空メールは個人情報登録誘導サービスシステムで受信される。個人情報登録誘導サービスシステムは、空メールを受信したときには、受信した空メールの情報を蓄積するとともに、前記レースを提供したクライアントのクライアント用端末に受信した空メールを送信する。その後、利用者とクライアントとの間で個人情報を登録するための処理が行われる。例えば、クライアントが会員登録を希望しているときに、利用者の住所、氏名、年齢などの個人情報を利用者の個人端末から通信ネットワークを介してクライアント用端末に送信すると、利用者は、そのクライアントのデータベースに登録される。会員登録が行われたときには、クライアント用端末から個人情報登録誘導サービスシステムに向けて、レースへの参加資格を得た利用者に関する利用者情報、例えば、利用者が保持する個人端末のメールアドレスが送信される。個人情報登録誘導サービスシステムは、クライアント用端末からの利用者情報（メールアドレス）を順次受信し、受信した利用者情報（メールアドレス）の数がそのレースを開催する条件を満たしたときに、レースへの参加資格を得た全ての利用者の個人端末にレースを開催する旨の案内情報をメールで送信し、その後、レースが開催されている時間内にレースへの参加資格を得た利用者の個人端末から送信されたメールを受信するごとに、レースに関する当落を判定し、この判定結果をレースへの参加資格を得た全ての利用者の個人端末に送信する。
【０００７】
すなわち、利用者は、レース参加誘導画像にアクセスしたのちに、レースへの参加資格を得るための空メールを送信し、その後クライアントとの間で個人情報を登録するための操作を行うだけで、レースへ参加することができ、レースへの参加資格を得たあとは、レースが開催されている時間内に、レースを開催する旨の案内情報を返信する操作を行うだけで、レースで当たるか否かを楽しむことができる。このため、利用者が個人情報をクライアントのデータベースに登録するのを容易に誘導することができる。
【０００８】
一方、クライアントにおいては、各種のサイトに広告宣伝のためのサイトを設ける必要がないため、利用者の個人情報を収集するのにコストの低減を図ることが可能になる。
【０００９】
請求項２に係る個人情報登録誘導サービスシステムにおいては、前記空メールの情報は、前記空メールを送信した利用者がアクセスしたアフィリエイトサイトの番号または直接アクセスしたという番号と、前記利用者が選択したレースを提供したクライアントのクライアントサイトの番号と、前記空メールを送信した利用者のメールアドレスとを含むように構成した。
【００１０】
(作用)利用者からの空メールを受信したときに、この空メールの情報は、利用者がアクセスしたアフィリエイトサイトの番号または直接アクセスしたという番号と、利用者が選択したレースを提供したクライアントのクライアントサイトの番号と、空メールを送信した利用者のメールアドレスとから構成されているため、空メールを送信した利用者と、アフィリエイトサイトおよびクライアントサイトとの関係を記録することができる。
【００１１】
請求項３においては、請求項１または２に記載の個人情報登録誘導サービスシステムにおいて、前記レースに関する当落を前記メールの受信順位で決定するように構成した。
【００１２】
(作用)レースに関する当落がメールの受信順位で決定されるため、利用者はメールの送信タイミングによってレースに当選するか否かを楽しむことができる。
【００１３】
請求項４においては、請求項１、２または３のうちいずれか１項に記載の個人情報登録誘導サービスシステムにおいて、前記通信ネットワーク対応型個人端末は、通信ネットワーク対応型携帯電話または通信ネットワーク対応型パーソナルコンピュータで構成した。
【００１４】
(作用)個人端末として携帯電話を用いることで、普及度が高いものを常に持ち歩くことができるため、利用者の利便性を図ることができる。また個人端末としてパーソナルコンピュータを用いたときには普及度が高いため、利用者の利便性を図ることができる。
【発明の効果】
【００１５】
請求項１に係る発明によれば、利用者が個人情報をクライアントのデータベースに登録するのを容易に誘導することができる。しかも、クライアントにおいては、各種のサイトに広告宣伝のためのサイトを設ける必要がないため、利用者の個人情報を収集するのにコストの低減を図ることが可能になる。
【００１６】
請求項２に係る発明によれば、空メールを送信した利用者と、アフィリエイトサイトおよびクライアントサイトとの関係を記録することができる。
【００１７】
請求項３に係る発明によれば、メールの送信タイミングによってレースに当選するか否かを楽しむことができる。
【００１８】
請求項４に係る発明によれば、利用者の利便性を図ることができる。
【発明を実施するための最良の形態】
【００１９】
以下、本発明の好ましい実施の形態につき、添付図面を参照して詳細に説明する。
【００２０】
図１は、本発明の一実施例である個人情報登録誘導サービスシステムのブロック構成図である。図１において、個人情報登録誘導サービスシステムは、システムサーバ１０と、データベース１２を備えており、システムサーバ１０は、ＣＰＵ（中央演算処理装置）、ＣＲＴ（表示装置）、入出力インターフェイス、キーボードなどを備え、通信ネットワークとして、例えば、インターネット１４に接続されている。インターネット１４には、インターネット１４を情報伝送媒体として、システムサーバ１０と情報の授受を行うインターネット対応型個人端末として、一般消費者である利用者(ユーザ)の携帯電話１６が複数台接続可能になっているとともに、インターネット１４を情報伝送媒体として、システムサーバ１０および携帯電話１６と情報の授受を行う複数のクライアント用端末１８が接続されている。
【００２１】
また、インターネット１４には、各種のサイトが設定されているアフィリエイト用端末１１が接続されており、アフィリエイト用端末１１の各種サイトのうち、アフィリエイトサイト(提携アフィリエイトサイト)の画像には、レース参加誘導画像が設定されている。そして、システムサーバ１０は、いずれかの携帯電話１６により、アフィリエイトサイトのレース参加誘導画像からアクセスされたときには、利用者（携帯電話１６）からのレース参加操作に応答して、レース参加誘導画像をレース選択画像に切り替え、レース選択画像の中のいずれかのレースが利用者によって選択されたときには、レース選択画像をレースへの参加資格を得るための空メール送信用画像に切り替え、その後、空メール送信用画像に応答した利用者からの空メールを受信したときには、受信した空メールの情報をデータベース１２に蓄積するとともに、選択されたレースを提供したクライアントのクライアント端末１８に受信した空メールを送信し、その後、クライアント用端末１８からの情報として、レースへの参加資格を得た利用者に関する利用者情報（メールアドレス）を受信し、この受信したメールアドレスの数がレースを開催する条件を満たしたときに、レースへの参加資格を得た全ての利用者の携帯電話１６にレースを開催する旨の案内情報をメールで送信し、レースが開催されている時間内にレースへの参加資格を得た利用者の携帯電話１６から送信されたメールを受信するごとに、レースに関する当落を判定し、この判定結果をレースへの参加資格を得た全ての利用者の携帯電話１６に送信するように構成されている。
【００２２】
データベース１２は、複数の記録(記憶)領域に分割されており、各記録領域には、例えば、アフィリエイトサイト、クライアントサイト、利用者のメールアドレスなどに関する情報が記録されるようになっている。
【００２３】
次に、具体的な処理内容を図２に基づいて説明する。まず、いずれかの利用者の携帯電話１６からアフィリエイト用端末１１に対してアフィリエイトサイトを選択するための操作が行われ、そこからレース参加誘導画像が選択されると、指定の携帯電話１６とシステムサーバ１０との間でインターネット１４を介して情報の授受が行われ、携帯電話１６の画面上には、図２（ａ）に示すように、トップページの画像として、レース参加誘導画像が表示される。この画像には、「レースに参加」、「ドメイン登録」、「当選者の声」、「利用者規約」、「Ｑ＆Ａ集」が表示される。ここで利用者が「レースに参加」を選択する操作を行うと、図２（ｂ）に示すように、同意事項に関する画像が表示される。このとき利用者が同意する旨の操作を行ったあと、「レースを表示」を操作すると、図２(ｃ)に示すように、レース選択画像が表示される。
【００２４】
例えば、携帯電話１６の画面上には３種類のレースの内容が表示される。各レースは各クライアントから提供されるものであって、レースの内容として、レースの参加人数、獲得商品などが表示される。第１のレースには、１０名のレース参加者のうち１名のものに図書券１万円分が当たる旨が表示される。このとき、利用者が第１のレースに参加するために、「参加する」を選択操作すると、携帯電話１６の画面上には、図２(ｄ)に示すように、空メール送信用画像が表示される。この画像には、利用者がレース（第１のレース）への参加資格を得るのを誘導するために、例えば、「このサイトで無料会員登録して参加資格を獲得してください」という文言が表示され、利用者に対してレースへの参加資格を得るための操作が促される。
【００２５】
ここで、利用者が第１のレースへの参加資格を得るための操作を行うと、例えば、疑似クライアントサイトの画像として、図３(ａ)に示す画像が携帯電話１６の画面上に表示される。この画像には、「登録」、「利用規約」、「サイト説明」、「Ｑ＆Ａマニュアル」の項目が表示される。このとき、利用者が「登録」を選択すると、図３(ｂ)に示すような画像が表示される。この画像には、クライアントに対して利用者の個人情報を登録することで、レースへの参加資格が得られる旨の文言が表示される。この後、利用者が「簡単登録」を選択操作すると、携帯電話１６からインターネット１４を介してサーバ１０に空メールが送信される。この空メールには、利用者がアクセスしたアフィリエイトサイトの番号または利用者が直接アクセスしたという番号と、利用者が選択したレースを提供したクライアントのクライアントサイトの番号および空メールを送信した利用者のメールアドレスが添付され、これらの情報はデータベース１２に蓄積されるとともに、インターネット１４を介して指定のクライアント（利用者が選択したレースを提供したクライアント）のクライアント用端末１８に送信される。
【００２６】
ここで、携帯電話１６のうちドメイン登録を予めしておくことが必要とされる携帯電話１６を有する利用者の場合には、ドメイン登録が促される。この場合、図２（ａ）に示すように、トップページの「ドメイン登録」を選択すると、図４(ａ)に示すように、ドメイン登録用の画像が表示される。このとき、利用者が、指定のメールアドレスに当該システムにおけるメールアドレスを追加する操作を行うことで、ドメイン登録が行われる。
【００２７】
また、利用者がトップページにおける「利用者規約」を選択したときには、図４（ｂ）に示すような画像が表示され、利用者が規約の項目を順次選択することで、規約の内容が順次表示されるようになっている。またトップページにおいて「Ｑ＆Ａ集」を選択すると、図４(ｃ)に示すような画像が表示され、問答集に関する項目が各種表示され、いずれかの項目を利用者が選択することで、質問の内容に応じた回答が表示される。
【００２８】
利用者からの空メールが指定のクライアント用端末１８に送信されると、利用者の携帯電話１６とクライアント用端末１８との間で、利用者がレースへの参加資格を得るために必要な情報の授受が行われる。例えば、利用者の個人情報として、住所、氏名、年齢などを入力すると、これらの情報がクライアントのデータベースに登録され、利用者は正規の会員として登録される。また、正規の会員に登録されるためには、アンケートに答えることが求められているときには、利用者が各種のアンケートに答えることによって正規の会員に登録される。
【００２９】
利用者が正規の会員として登録され、利用者が指定のレースへの参加資格を得たときには、クライアント端末１８から利用者の携帯電話１６に、正規の会員として登録された旨がメールで送信される。さらに、クライアント端末１８からシステムサーバ１０に対してインターネット１４を介してレースへの参加資格を得た利用者に関する利用者情報としてメールアドレスが送信される。
【００３０】
ここで、システムサーバ１０は、各レース毎にクライアント端末１８から各レースへの参加資格を得た利用者に関するメールアドレスが送信されてくるか否かを監視し、各レースにおけるメールアドレスの数が各レースを開催する条件を満たす前は、例えば、図５（ａ）に示すように、第１のレースの開催まであと５名である旨のメールを第１のレースを選択した利用者の携帯電話１６に送信する。
【００３１】
すなわち、システムサーバ１０は、第１のレースが１０名の参加者で成立するときには、あと５名の参加によってレースが開催される旨を通知する。このあと第１のレースへの参加者が１０名に達したときには、図５（ｂ）に示すように、第１のレースへの参加資格を得た利用者の携帯電話１６に対して、第１のレースを開催する旨の案内情報をメールで送信する。このメールには、レースの開催日時の他に、レース参加者のうち５番目にメールを返信したものが当選する旨の内容が添付される。レースは通常翌日の午後１時から午後６時の間に開催されるようになっており、レース参加者はレース開催日の１時から６時の時間帯にレース参加者の中のうち５番目にメールを送信するように、その送信タイミングを決めてメールを返信する。例えば、図５（ｂ）に示すメールを、レースの開催時間帯内に返信する操作を行うことで、利用者はレースに参加することができる。
【００３２】
レースへの参加資格を得た全ての利用者がメールを返信すると、サーバシステム１０においては、各レースにおけるメールが返信されてくるごとに、すなわちメールを受信するごとに、各レースに関する当落をメールの受信順位で決定する。例えば、第１のレースの場合、１０名のレース参加者のうち５番目にメールを送信したものが当選であることが決められているため、第１のレースについては、メールを５番目に送信したものに対して、当選である旨を判定し、それ以外のものに対しては、外れと判定する。
【００３３】
第１のレースについての判定を行い、５番目にメールを返信した利用者に対しては、図５（ｃ）に示すように、レースに当選した旨のメールをインターネット１４を介して利用者の携帯電話１６に送信する。このメールには、レースの当選番号、アクセス時間、アクセス順位に関する情報などが添付される。
【００３４】
一方、外れた利用者に対しては、図５(ｄ)に示すように、レースの当選番号とともに、アクセスタイム、アクセス順位、次のレースへの参加を促す旨の文言が添付される。
【００３５】
ここで、レースで当選した利用者が、図５（ｃ）に示すメールのＵＲＬを選択する操作を行うと、図６(ａ)に示すように、当選報告を行うための画像が携帯電話１６の画面上に表示される。この場合、当選者は、氏名、年齢、携帯電話番号、郵便番号などの情報を入力することが促され、これらの情報が入力されると、図６（ｂ）に示すように、次に当選報告に関する画像が表示される。この場合、住所には、先に入力された郵便番号から都道府県、市町村に関する住所が表示され、利用者は不足している町名、番地などを入力することが促される。さらに当選者は、当選者の声の欄に、例えば、４０字以内で当選の喜びに関するメッセージを入力することができる。この後、「確認」を操作すると、図６（ｃ）に示すように、当選報告を確認するための画像が表示され、当選者の氏名、生年月日、住所、携帯電話番号、などが表示され、これらの内容が正しいときには、利用者が「報告する」を操作することで、図６（ｄ）に示すように、当選を祝福する画像が表示される。
【００３６】
一方、レースが終了したあとは、トップページの「当選者の声」を選択すると、図４（ｄ）に示すように、レース毎に当選者の声に関する情報が表示される。この当選者の声の欄にはレース毎に当選番号とアクセス時間が表示されるため、レースに外れた利用者は、各レースにおけるアクセスタイミングを見ることで次のレースの参考とすることもできる。
【００３７】
以上説明したように、本実施例によれば、利用者は、レース参加誘導画像にアクセスしたあとに、レースへの参加資格を得るための空メールを送信し、その後クライアントとの間で個人情報を登録するための操作を行うだけで、レースへ参加することができ、レースへの参加資格を得たあとは、レースが開催されている時間内に、レースを開催する旨の案内情報を返信する操作を行うだけで、レースで当たるか否かを楽しむことができる。このため、利用者が個人情報をクライアントのデータベースに登録するのを容易に誘導することができる。一方、クライアントにおいては、各種のサイトに広告宣伝のためのサイトを設ける必要がないため、利用者の個人情報を収集するのにコストの低減を図ることが可能になる。
【００３８】
なお、前記した実施例では、利用者は、アフィリエイト用端末１１を介してアフィリエイトサイトのレース参加誘導画像からシステムサーバ１０にアクセスするように構成されているが、アフィリエイト用端末１１を介することなく直接システムサーバ１０にアクセスして、所定のレース参加誘導画像にアクセスすることもできる。
【００３９】
また、前記した実施例では、利用者の通信ネットワーク対応型個人端末を通信ネットワーク対応型携帯電話として説明したが、携帯電話ではなく通信ネットワーク対応型パーソナルコンピュータであってもよい。
【図面の簡単な説明】
【００４０】
【図１】本発明の一実施例である個人情報登録誘導サービスシステムのブロック構成図である。
【図２】個人情報登録誘導サービスシステムにおけるレースの選択方法を説明するための図である。
【図３】個人情報登録誘導サービスシステムにおけるレースへの参加資格を得るための方法を説明するための図である。
【図４】トップページの項目を選択したときの操作方法を説明するための図である。
【図５】個人情報登録誘導サービスシステムにおけるレース開始前後におけるメールの内容を説明するための図である。
【図６】個人情報登録誘導サービスシステムにおけるレース当選者による当選報告を説明するための図である。
【符号の説明】
【００４１】
１０ システムサーバ
１１ アフィリエイト用端末
１２ データベース
１４ インターネット
１６ 携帯電話
１８ クライアント用端末
【図１】
2005063327.tif 000003
【図２】
2005063327.tif 000004
【図３】
2005063327.tif 000005
【図４】
2005063327.tif 000006
【図５】
2005063327.tif 000007
【図６】
2005063327.tif 000008